(57)【要約】【課題】片手だけで一個ずつタブレットを確実に取り出せ、形状の制約が少なく、構造が簡単なタブレットケースを提供する。【解決手段】蓋容器部１００　と底容器部２００　とタブレット取出装置部３００　とからなる偏平なプラスチック製のタブレットケースであり、蓋容器部は、天板１１０　が中央へ凸状で中央部に凹陥部１１１　を設け、凹陥部は上方から係止凹部１１２　と変形部分収容凹部１１３　と下端のガイド貫通孔１１４　とからなり、周壁１２０　の下端部に底容器部との係合部１２１　をもち、底容器部は、底板２１０　が中央へ凹状で中央部の蓋容器部のガイド貫通孔の対向位置にガイド貫通孔２１１　を設け、周壁２２０　の上端部に蓋容器部との係合部２２１　をもち、タブレット取出装置部は、ゴム状弾性体で、上方から係止兼押圧部３１０　と柱部３２０　と係止部２１１　とからなり、柱部の下端一側にタブレット２０を一個収容できる次取出タブレット収容凹み３２１　を設ける。【選択図】図１
2004090935.tif 000002
【特許請求の範囲】
【請求項１】
蓋容器部と底容器部とタブレット取出装置部とからなる偏平なプラスチック製のタブレットケースであって、前記蓋容器部は、天板と周壁とからなり、前記天板は中央へ凸状で中央部に凹陥部を設け、該凹陥部は上方から係止凹部と変形部分収容凹部と下端のガイド貫通孔とからなり、前記周壁は下端部に前記底容器部との係合部をもち、前記底容器部は、底板と周壁とからなり、前記底板は中央へ凹状で中央部の前記蓋容器部のガイド貫通孔の対向位置にガイド貫通孔を設け、前記周壁は上端部に前記蓋容器部との係合部をもち、前記タブレット取出装置部は、ゴム状弾性体であり、上方から係止兼押圧部と柱部と係止部とからなり、前記柱部の下端一側にタブレットを一個だけ収容できる次取出タブレット収容凹みを設け、前記底容器の上方に前記蓋容器部を係着し、該中央部に、前記タブレット取出装置部の柱部を、上方の前記蓋容器部のガイド貫通孔と下方の前記底容器部のガイド貫通孔とに貫通させて上下方向へ可動可能に挿着し、かつ前記タブレット取出装置部の上方の係止兼押圧部で前記蓋容器部の係止凹部に、下方の係止部で前記底容器の底板のガイド貫通孔の外周縁部に係止したことを特徴とするタブレットケース。
【請求項２】
前記ゴム状弾性体が、熱可塑性エラストマーであることを特徴とする請求項１記載のタブレットケース。
【発明の詳細な説明】
【０００１】
【発明の属する技術分野】
本発明は、菓子、医薬部外品、医薬品などの球形状のタブレットを、使用するときに、一個ずつ確実に取り出すことができるプラスチック製のタブレットケースに関するものである。
【０００２】
【従来の技術】
従来、プラスチック製のタブレットケースとしては、使用時に取出し口を開口し、内容物のタブレットを振り出す構造のものが一般的なものであった。しかし、この場合には、一度に多数個のタブレットが振り出された。このため、一度に一個ずつ使用する内容物に対して、一個ずつタブレットを取り出すタブレットケースの開発がなされていたが、極めて少なく、口臭防止剤などの一部のタブレットケースがあるに過ぎなかった。
【０００３】
【発明が解決しようとする課題】
しかしながら、上述の一個ずつタブレットを取り出すタブレットケースは、容器の構造上から、使用するときに両手を使用しなければならなかったり、容器の形状が四角形状に限定されてしまうことなどの問題があった。また、容器の構造が複雑となった。
【０００４】
本発明は、上述の従来の一個ずつタブレットを取り出すタブレットケースの問題を解決したものであり、使用するときに、片手だけで一個ずつタブレットを確実に取り出すことができ、形状における制約も少なく、構造が比較的に簡単なタブレットケースを提供するものである。
【０００５】
【課題を解決するための手段】
すなわち、本発明の第１の発明は、蓋容器部と底容器部とタブレット取出装置部とからなる偏平なプラスチック製のタブレットケースであって、前記蓋容器部は、天板と周壁とからなり、前記天板は中央へ凸状で中央部に凹陥部を設け、この凹陥部は上方から係止凹部と変形部分収容凹部と下端のガイド貫通孔とからなり、前記周壁は下端部に前記底容器部との係合部をもち、前記底容器部は、底板と周壁とからなり、前記底板は中央へ凹状で中央部の前記蓋容器部のガイド貫通孔の対向位置にガイド貫通孔を設け、前記周壁は上端部に前記蓋容器部との係合部をもち、前記タブレット取出装置部は、ゴム状弾性体であり、上方から係止兼押圧部と柱部と係止部とからなり、前記柱部の下端一側にタブレットを一個だけ収容できる次取出タブレット収容凹みを設け、前記底容器の上方に前記蓋容器部を係着し、この中央部に、前記タブレット取出装置部の柱部を、上方の前記蓋容器部のガイド貫通孔と下方の前記底容器部のガイド貫通孔とに貫通させて上下方向へ可動可能に挿着し、かつ前記タブレット取出装置部の上方の係止兼押圧部で前記蓋容器部の係止凹部に、下方の係止部で前記底容器の底板のガイド貫通孔の外周縁部に係止したことを特徴とするタブレットケースである。
【０００６】
そして、前記ゴム状弾性体が、熱可塑性エラストマーであることを特徴とする第１の発明に記載のタブレットケースである。
【０００７】
【発明の実施の形態】
次に、本発明のタブレットケースを一実施形態に基づいて、図を用いて詳細に説明する。
図１（ａ）は、本実施形態のタブレットケースの構造を示す説明図であり、図１（ｂ）は、そのタブレットケースから収納するタブレットを一個ずつ取り出す状態を示す説明図である。図２は、本発明のタブレットケースの形状のバリエーションを示す平面図であり、（ａ）は円形状、（ｂ）は四角形状、（ｃ）は三角形状である。
【０００８】
本実施形態のタブレットケース（１０）は、図１（ａ）に示すように、蓋容器部（１００）と底容器部（２００）とタブレット取出装置部（３００）（ゴム状弾性体）とで構成される偏平なプラスチック製のタブレットケースである。底容器の上方に蓋容器部を係着し、この中央部に、タブレット取出装置部の柱部（３２０）を、上方の蓋容器部のガイド貫通孔（１１４）と下方の底容器部のガイド貫通孔（２１１）とに貫通させて上下方向へ可動可能に挿着し、タブレット取出装置部の上方の係止兼押圧部（３１０）で蓋容器部の係止凹部（１１２）に、下方の係止部（３３０）で底容器の底板（２１０）のガイド貫通孔の外周縁部に係止するものである。
【０００９】
本実施形態の蓋容器部（１００）は、図１（ａ）に示すように、天板（１１０）と周壁（１２０）とからなり、天板は中央へ凸状で、その中央部に、上方から係止凹部（１１２）と変形部分収容凹部（１１３）と下端のガイド貫通孔（１１４）とからなる凹陥部（１１１）を設けるものである。また、周壁の下端部には、底容器部との咬合、嵌合、圧接などの係合部（１２１）を設けるものである。この蓋容器部は、使用目的に合わせて、通常では、ポリプロピレン、ポリエチレン、ポリスチロールなどの熱可塑性樹脂を用いて、射出成形法により作製するものである。
【００１０】
底容器部（２００）は、図１（ａ）に示すように、底板（２１０）と周壁（２２０）とからなり、底板は中央へ凹状で、その中央部の蓋容器部のガイド貫通孔１１４）の対向位置に、ガイド貫通孔（２１１）を設けるものである。また、周壁の上端部には、蓋容器部との咬合、嵌合、圧接などの係合部（２２１）を設けるものである。この底容器部は、蓋容器部と同様に、使用目的に合わせて、通常では、ポリプロピレン、ポリエチレン、ポリスチロールなどの熱可塑性樹脂を用いて、射出成形法により作製するものである。
【００１１】
そして、タブレット取出装置部（３００）は、図１（ａ）に示すように、ゴム状弾性体からなり、上方から係止兼押圧部（３１０）と柱部（３２０）と係止部（３３０）とからなり、柱部の下端一側にタブレットを一個だけ収容できる次取出タブレット収容凹み（３２１）を設けるものである。このタブレット取出装置部は、通常では、熱可塑性エラストマーを用いて、射出成形法により作製するものである。なお、通常では係止兼押圧部と柱部と係止部とを一体に製作するが、作製を容易にするために、係止兼押圧部と柱部とを一体で作製し、この柱部の下端に、別体で作製した係止部を取り付けてもよい。
【００１２】
球形状のタブレットを収納する本発明のタブレットケース（１０）を、片手にもって、図１（ｂ）に示すように、蓋容器部（１００）の中央部に突出するタブレット取出装置部（３００）の係止兼押圧部（３１０）を、指で押圧（Ｐ）すると、タブレット取出装置部の材質がゴム状弾性体であるため、係止兼押圧部（３１０）の上部が下方へ又柱部（３２０）の上部が外側へ変形し、その変形部分が蓋容器部（１００）の天板（１１０）中央部に設けられた変形部分収容凹部（１１３）に収容されると同時に、柱部（３２０）が、蓋容器の凹陥部（１１１）の下端のガイド貫通孔（１１４）と底容器（２００）の底板（２１０）のガイド貫通孔（２１１）にガイドされながら下方へ移動して、柱部の下端部が底容器（２００）の底板（２１０）より下方に突出し、柱部の下端部の次取出タブレット収容凹み（３２１）に収容されていた一個のタブレット（２０）が矢印のように排出して取り出される。
【００１３】
次に、タブレット取出装置部の係止兼押圧部から指を外すと、材質のゴム状弾性力により、タブレット取出装置部（３００）は、図１（ａ）に示す元の状態に戻る。なお、底容器（２００）の底板（２１０）は、中央へ凹状であるため、図１に示す係止兼押圧部（３１０）を押圧しない状態のときに、球形状のタブレット（２０）が中央に集まりやすく、柱部（３２０）の下端部のタブレット一個分だけのを収容スペースをもつ次取出タブレット収容凹み（３２１）に、次に取り出されるタブレットが、自然に収容されやすい。使用するときに、タブレットが次取出タブレット収容凹みに入っていないときは、ケースを傾斜や振動させてタブレットを収容させる。
【００１４】
また、本発明のタブレットケース（１０）の形状は、図２に示すように、平面図形状が円形状（ａ）、四角形状（ｂ）、三角形状（ｃ）などバリエーションが広く、形状的な制約が少ない。
【００１５】
【発明の効果】
本発明のタブレットケースは、偏平なプラスチック製のタブレットケースであり、携帯しやすく、片手でもち、上方の中央部に突出するタブレット取出装置部の係止兼押圧部を指で押圧すると、下方の中央部からタブレット取出装置部の柱部が突出して、その柱部の下端部に設けられた次取出タブレット収容凹みに一個だけ入っていたタブレットが排出する。つまり、使用するときに、片手だけで一個ずつタブレットを確実に取り出すことができる。
【００１６】
また、本発明のタブレットケースは、形状における制約が少なく、平面図形状で円形状、四角形状、三角形状など各種の形状が可能である。
【００１７】
また、本発明のタブレットケースは、蓋容器部と底容器部とタブレット取出装置部とからなり、構造が比較的に簡単なタブレットケースである。
【図面の簡単な説明】
【図１】（ａ）は、本発明の一実施形態のタブレットケースの構造を示す説明図であり、（ｂ）は、収納するタブレットを一個ずつ取り出す状態を示す説明図である。
【図２】本発明のタブレットケースの形状を示す平面図であり、（ａ）は円形状、（ｂ）は四角形状、（ｃ）は三角形状である。
【符号の説明】
１０……タブレットケース
２０……タブレット
１００……蓋容器部
１１０……天板
１１１……凹陥部
１１２……係止凹部
１１３……変形部分収容凹部
１１４，２１１……ガイド貫通孔
１２０，２２０……周壁
１２１，２２１……係合部
２００……底容器部
２１０……底板
３００……タブレット取出装置部
３１０……係止兼押圧部
３２０……柱部
３２１……次取出タブレット収容凹み
３３０……係止部
【図１】
2004090935.tif 000003
【図２】
2004090935.tif 000004